(57)【要約】【課題】  チャネルビットで表された長さを有するマークにより表される情報ブロックを記録するための情報トラックを示すサーボトラックを有する記録担体が開示される。【解決手段】    サーボトラックは、記録担体情報を符号化するために変調された、物理的パラメータの周期的変化を有する。変調は、記録担体情報のデータビットは、第1の位相の第1の所定数の変化に続いて、第1の位相の逆の第２の位相の同数の変化により符号化されるバイ−フェーズ変調である。【選択図】図２
2011040163.tif 000002
【特許請求の範囲】
【請求項１】
チャネルビットで表された長さを有するマークにより表される情報ブロックを記録するための情報トラックを示すサーボトラックを有する記録担体であって、前記サーボトラックは、物理的パラメータの周期的変化を有し、前記周期的変化は、記録担体情報のデータビットが第1の位相の第1の所定数の変化に続いて、前記第1の位相の逆の第２の位相の同数の変化により符号化されるバイ−フェーズ変調によって、記録担体情報を符号化するために変調され、前記サーボトラックは、前記バイ−フェーズ変調を有する比較的小さな部分と、変調されていない周期的変化を有する比較的大きな部分に副分割されていることを特徴とする記録担体。
【請求項２】
前記比較的大きな部分は、少なくとも９０パーセントの前記サーボトラックを占める請求項１記載の記録担体。
【請求項３】
前記小さな部分は同期部分とデータ部分を有し、前記同期部分は前記変調されていない周期的変化の位相と逆の位相の少なくとも1つの変化を有する請求項１記載の記録担体。
【請求項４】
第１の位相の前記第１の所定数の変化は２である請求項１記載の記録担体。
【請求項５】
前記小さな部分は８個の周期的変化を有し、前記大きな部分は８５個の周期的変化を有する請求項２記載の記録担体。
【請求項６】
１つの周期的変化の長さは、チャネルビットの第３の所定の数に対応する請求項１記載の記録担体。
【請求項７】
前記第３の所定の数は、３２である請求項６記載の記録担体。
【請求項８】
情報トラックを示すサーボトラックを有する記録担体上の情報トラック内のチャネルビットで表された長さを有するマークにより表された情報ブロックを書きこみ及び／又は読み出す手段を有する記録及び／又は再生装置であって、当該装置は、前記サーボトラックを走査し且つサーボトラックの物理的パラメータの周期的変化の変調で符号化された記録担体情報を取り出す手段を有し、当該装置は、第1の位相の第1の所定数の変化に続いて、前記第1の位相の逆の第２の位相の同数の変化から、記録担体情報のデータビットを取り出すバイ−フェーズ復調手段を有し、前記バイ−フェーズ復調手段は、変調されていない周期的変化を有する比較的大きな部分の間で前記バイ−フェーズ変調を有するサーボトラックの比較的小さな部分を検出するよう構成されたことを特徴とする装置。
【請求項９】
前記バイ−フェーズ復調手段は、前記変調されていない周期的変化の位相と逆の位相の少なくとも1つの変化を有する同期部分に同期するようになされる請求項８記載の装置。
【請求項１０】
第３の所定数のチャネルビットに対応する１つの周期的変化の長さから物理的位置を計算することにより、前記情報ブロックのアドレスに対応する１つの周期的変化の前記物理的位置に基づいて、記録されるべき情報ブロックの位置を決めるための、記録位置決め手段を有する請求項８記載の装置。
【請求項１１】
チャネルビットで表された長さを有するマークにより表される情報ブロックを記録するための情報トラックを示すサーボトラックが設けられている記録担体を製造する方法であって、前記サーボトラックには、物理的パラメータの周期的変化が設けられ、前記周期的変化は記録担体情報を符号化するために変調され、記録担体情報のデータビットは、第１の位相の第１の所定数の変化に続いて、第１の位相の逆の第２の位相の同数の変化により符号化され、前記サーボトラックは、前記バイ−フェーズ変調を有する比較的小さな部分と、変調されていない周期的変化を有する比較的大きな部分に副分割されていることを特徴とする方法。
【発明の詳細な説明】
【技術分野】
【０００１】
本発明は、チャネルビットで表された長さを有するマークにより表される情報ブロックを記録するための情報トラックを示すサーボトラックを有する記録担体であって、サーボトラックは、記録担体情報を符号化するために変調された、物理的パラメータの周期的変化を有する記録担体に関する。
【０００２】
本発明は更に、記録担体上の情報トラック内のチャネルビットで表された長さを有するマークにより表された情報ブロックを書きこみ又は読み出す手段を有する記録及び／又は再生装置であって、サーボトラックを走査し且つ記録担体情報を取り出す手段を有する記録及び／又は再生装置に関する。
【０００３】
本発明は、更に記録担体の製造方法にも関する。
【背景技術】
【０００４】
前文で述べた形式の情報を読出し及び／又は書きこむ記録担体と装置は、米国特許ＵＳ４，９０１，３００（ＰＨＮ１２．３９８）から知られている。情報は時間コードを有する情報信号に符号化され、そして、時間コードに従って、情報ブロックへ副分割され、時間コードはＣＤ−ＲＯＭのアドレスのように使用される。記録担体は通常では、プリグルーブと呼ばれるサーボトラックを有し、トラックが走査されたときにサーボ信号を発生する。例えば、半径位置のようなプリグルーブの物理的パラメータは、周期的に変わり、いわゆるウーブルを構成する。トラックの走査中は、このウーブルはサーボ信号の変化を導く。変化は、例えば、同期シンボルと符号化位置情報のような記録担体情報により変調される。位置情報は、トラックの開始からの絶対長を示す。記録中は情報ブロックの位置情報は、動機シンボルとできるだけ同期され、それにより情報ブロックは、そのアドレスに対応する位置で記録担体に書きこまれる。
【発明の概要】
【発明が解決しようとする課題】
【０００５】
そのようなシステムの問題点は、プリグルーブウーブル信号は比較的低周波数で変調されており、そして、例えば読出し／書きこみヘッドの位置又は同期シンボルの発生の瞬間のように、そこから、記録担体情報を非常に正確に且つ低遅延で得ることが難しいことである。更に、プリグルーブウーブル信号は低強度で変調されており、それゆえ、ディスクの傷に敏感である。
【課題を解決するための手段】
【０００６】
本発明の目的は、例えば、記録担体情報を信頼性を持って、高速にかつ正確に決定できる記録担体を提供することである。
【０００７】
本発明の第１の特徴に従って、前文で述べた記録担体は、前記変調は、記録担体情報のデータビットが、第1の位相の第1の所定数の変化に続いて、第1の位相の逆の第２の位相の同数の変化により符号化されるバイ−フェーズ変調であることを特徴とする。本発明に従って、前文で述べた記録及び／又は再生装置は、サーボトラックを走査し且つサーボトラックの物理的パラメータの周期的変化の変調で符号化された記録担体情報を取り出す手段を有し、その装置は、第1の位相の第1の所定数の変化に続いて、第1の位相の逆の第２の位相の同数の変化から、記録担体情報のデータビットを取り出すバイ−フェーズ復調手段を有することを特徴とする。これは、同数の反転及び非反転周期変化からのそれらの値から、データビットを独立して検出できる効果を有する。オフセット、非対称性又は、クロストークのような外乱は、反転及び非反転変化からの検出信号を例えば、積分により結合することにより補償される。これは、検出が、値０又は１を有するビットに対して同じ信頼性を有するという優位性を有する。（例えば、ビットが１のときには４つの反転ウーブルのような）単一位相の変調と比較すると、バイ−フェーズ変調は反転されたウーブルの総数は（データに関わらず）常に同じであり、そして、単一位相に関して反転されたウーブルの平均数と等しいという優位点を有するが、しかし、単一位相変調に対し最悪の状況（ビットが１のときの連続）では、２倍以上のウーブルが反転される。更なる優位点は、隣接トラックの反転された変化のみが、既知の方法の周波数変調のようなランダム変調された変化と比較されたときに低く且つ予測できる影響を有するので、記録時にマークの位置決めに使用され得る周期的変化の物理的位置の検出の外乱は、正確であることである。
【図面の簡単な説明】
【０００８】
【図１ａ】記録担体を示す図である。
【図１ｂ】記録担体を示す図である。
【図１ｃ】記録担体を示す図である。
【図１ｄ】記録担体を示す図である。
【図２】バイ−フェーズウーブル変調を示す図である。
【図３】ＡＤＩＰワードデータを示す図である。
【図４】バイ−フェーズ検出器を示す図である。
【図５】再生装置を示す図である。
【図６】記録装置を示す図である。
【発明を実施するための形態】
【０００９】
記録担体の実施例では、サーボトラックは、前記バイ−フェーズ変調を有する比較的小さな部分と、変調されていない（いわゆるモノトーン）周期的変化を有する比較的大きな部分に副分割されていることを特徴とする。比較的大きなとは、サーボトラックの少なくとも８０％が変調されていない周期的変化を有することを示し、少なくとも９０％が好ましい。これは、位置決め情報ブロックの周期的変化の検出が、トラックの実質的な部分で変調により乱されないという優位点がある。
【実施例】
【００１０】
記録担体の更なる実施例では、１つの周期的変化の長さは、チャネルビットの第３の所定の数に対応することを特徴とする。効果は、バイ−フェーズ変調は周期的変化の長さに影響を及ぼさないので、ｎ番目のチャネルビットの公称位置は、第３の所定の数で割ったｎ番目の周期的変動の物理的位置に対応することである。これは、記録位置を周期的変動に同期することができるという優位点がある。周期的変化当りの比較的小さな第３の所定の数のチャネルビットで、高い正確さの位置決めができる。特に３２は、１６チャネルビットより小さなチャネル符号化で普通に使用されている最長のマークよりも十分に長く、そして、２値システムで簡単にアドレス計算ができるので、好適な数である。
【００１１】
本発明に従った更なる方法、装置及び、記録担体は独立請求項に示されている。
【００１２】
本発明のこれらの及び、他の特徴は、図を参照して、以下の例により説明される実施例を参照してされに明らかとなろう。
【００１３】
異なる図中の対応する要素は、同一の参照番号を有する。
【００１４】
図１ａは、巻線３のら線パターンで配置された記録のための連続トラック９を有するディスク状記録担体１を示す。巻線は、ら線の代わりに同心的に配置されても良い。記録担体状のトラック９は、例えば、プリグルーブ４が、走査中に読出し／書きこみヘッドをトラック９に追従することを可能とするサーボトラックにより示される。サーボトラックは、例えば、サーボトラックシステムでは、周期的に信号を発生させる規則的に広がったサブトラックによっても形成されうる。図１ｂは、透明基板５が記録層６と保護層７により被われている記録担体１の線ｂ−ｂに知った断面図を示す。プリグルーブ４は、ランドとして配置されるか又は、その周囲から異なる材料特性である。記録層６は、コンピュータ用の既知のＣＤレコーダブル又はハードディスクのような、装置により情報を読出し及び／又は書きこみする、光学的な方法、光磁気又は、磁気的な方法で配置されうる。図１ｃ及び、１ｄは、プリグルーブの周期的変調（ウーブル）の２つの例を示す。このウーブルはサーボトラック記録装置に更なる信号を発生する。従来技術では例えば、ウーブルは周波数変調され、ディスク情報は変調符号化される。そのような方法で得られたディスク情報を含むＣＤシステムの包括的な説明は、米国特許番号ＵＳ４，９０１，３００（ＰＨＮ１２．３９８）及び、ＵＳ５，１８７，６９９（ＰＨＱ８８．００２）に記載されている。
【００１５】
図２は、バイ−フェーズウーブル変調を示す。図の上側は、ワード同期パターンのウーブル変調を示し、図の上から第２番目と第３番目は、（データビット１から５１のうちの１つの）データビットのウーブル変調を示す。所定の位相パターンが同期シンボル（ＡＤＩＰビット同期信号）、全アドレスワードの同期（ＡＤＩＰワード同期信号）、及び、それぞれのデータビット（ＡＤＩＰデータ＝”０”及び、ＡＤＩＰデータ＝”１”）を示すのに使用される。ＡＤＩＰビット同期信号は単一の反転ウーブル（ウーブル＃０）により示される。ＡＤＩＰワード同期信号は、ＡＤＩＰビット同期信号に続く反転された３つのウーブルにより示され、一方、この領域（ウーブル＃１から３）ではデータビットは非反転である。ＡＤＩＰデータ領域は、１つのデータビットを表すのに割り当てられた図では４から７と番号が付された（ウーブル＃４から７）幾つかのウーブル期間を含む。ＡＤＩＰ領域の最初の半分のウーブル位相は、第２の半分のウーブル位相と反転している。このように、各ビットは、ウーブルの異なる位相を有する２つの副領域即ち、バイ−フェーズにより表される。データビットは次のように変調される。ＡＤＩＰデータ＝”０”は、２つの非反転ウーブルに続く２つの反転ウーブルにより示され、ＡＤＩＰデータ＝”１”は、逆である。データビットの変調の本実施例は、完全に対称であり、両データビット値に対して、等しいエラーの可能性が与えられる。しかし、ウーブル及び、反転ウーブルの他の組合せ又は、他の位相値も使用され得る。実施例では、データビットの代わりに”空”を示す、所定の変調が、ＡＤＩＰワード同期信号の後に使用される。モノトーンのウーブルは第１のデータビットの後に使用されても良く、又は、更にその後にデータビットが符号化されたも良い。検出器内のＰＬＬ（図４参照）の簡単なロックと安定な出力のために、大部分のウーブルは変調されていない（即ち、公称位相）であることが好ましい。この実施例では、８の可能な変調ウーブルの後に、８５の変調されていない（即ち、モノトーンの）ウーブル（ウーブル＃８から９２）が続く。書き込み中に書きこみクロックがＰＬＬから得られるので、ＰＬＬの出力周波数は、安定なほど良い。
【００１６】
バイ−フェーズ変調を適用することにより、以下のＡＤＩＰ検出結果が、実験的に得られる。ビット同期が良く、そして、ＡＤＩＰビットエラーは十分に低い。反転されたウーブルは、異なる（例えば、低い）平均振幅を有するにも関わらず、判定レベルはゼロである。検出はビット＝０及び、ビット＝１に対して対称であるので、即ち、両場合において、積分期間は、いくつかの非反転ウーブルと反転ウーブルをカバーする。２ｘ２ウーブルとバイ−フェーズ変調を適用することにより、データビットの検出マージンは最悪の状況でも十分である。ＡＤＩＰワード同期信号は、３つの反転ウーブルに続く空領域の４つのウーブルを使用し（ワード同期信号後にはデータビットが変調されていない）、信頼性のあるワード同期となる。結果は、バイ−フェーズ変調が、サーボトラックからのアドレスの検出を改善することを示す。
【００１７】
図３は、ＡＤＩＰワードデータを示す。ＡＤＩＰワードは５２ビットを有し、５２＊９３ウーブルに対応する。そして、１ウーブルは３２チャネルビットである。ＤＶＤフォーマットの場合には、チャネルコードＥＦＭ＋が使用されており、チャネルビットは１４８８チャネルビットのＥＦＭ同期フレーム内で集団化される。これゆえ、ＡＤＩＰビットは、２ＥＦＭ同期フレームに対応し、ＡＤＩＰワードは、ＤＶＤフォーマットの４セクタに対応する。ＤＶＤフォーマットのＥＣＣブロックは、１６セクタを有し、これゆえ、ＥＣＣブロックは、４ＡＤＩＰワードに対応する。このため、１つのＡＤＩＰワード同期信号は新たなアドレス（即ち、新たな完全なＡＤＩＰワード）を示すために４セクタ置きに使用される。表は、セクタアドレス例えば、ＤＶＤセクタアドレスを示すための完全なアドレスワードのデータビットの使用を示す。アドレスはその位置で実際のＤＶＤセクタアドレス（即ち、２４ビットアドレスの２２最上位ビット）により与えられる。これゆえ、常に固定されたアドレスの最下位の２ビットは、異なる目的に使用される。ビット０は通常はゼロに設定され、ＡＤＩＰワード同期信号後の”空”領域により図２に示されるように、実際には変調されない。ビット１は、将来の使用のために予約される。更に、以下のように８データニブルが、５パリティニブルを有するように、リードソロモン（ＲＳ）エラーコードに従ってニブル（４ビットワード）に基づき、誤り訂正コード（ＥＣＣ）シンボルが付加される（ビット３２−５１）。これはアドレス検出の信頼性を更に改善する。次指令では、パリティニブルは、計算後に反転され（そして、再び使用されるときに反転される）。これはデータニブルがゼロの場合に、ゼロの長いシーケンスを防ぐ。
【００１８】
図４は、バイ−フェーズ変調の検出器を示す。検出器は、第1の位相の第1の所定数の変化に続いて、第1の位相の逆の第２の位相の同数の変化から、記録担体情報のデータビットを取り出すバイ−フェーズ復調手段の例を構成し、そして、図５と６に示す書きこみ及び／又は読み出し装置として以下に説明するアドレス検出器５０の一部である。トラックの変調されたウーブルに対応する入力信号４１は、トラックの横位置を検出する読出しヘッド内の光学的検出器から得られる。乗算器４３、ループフィルタ４４（ＬＦ）及び、電圧制御発振器４５（ＶＣＯ）により構成される上方のループは、位相ロックループ（ＰＬＬ）のように動作する。ループフィルタ４４は、従来のＰＬＬのように積分要素と比例要素を含む。ＶＣＯの出力は、公称ウーブル位相（即ち、変調無し）から９０°位相がずれており、−９０°位相器４６に接続されている。入力信号が、ウーブルに対応する正弦波のときには、ＶＣＯ４５の出力は余弦であり、位相器は再び正弦波を出力する。位相器４６の出力と入力信号４１は、乗算器４７で結合され、制御可能積分器４８に接続された直交信号と乗算される。積分器４８は、ビット出力信号２４を供給するビット検出器４９に接続される。同期検出のために、位相器４６の出力は、入力信号の公称ゼロクロス位置の検出し、そして、ウーブルの最初と最後で積分器の制御をするために、ビット検出器４９に接続される。ビット検出器４９の機能は、次のようである。最初に、ＡＤＩＰビット同期信号がビット同期のために直交信号から検出される。ビット検出器は、各ＡＤＩＰビット同期信号に先行する非反転ウーブル比較的長いシーケンスの後に反転されたウーブルを検出するために、積分器４８（又は、別の同期検出器）を制御する。実施例では、ビット検出器は、信頼性カウンタが設けられ、期待される位置（即ち、各９３ウーブル毎に、図２参照）でＡＤＩＰビット同期信号が検出されるたびに、例えば、１６の最大カウント値まで増加する。ＡＤＩＰビット同期信号が、そのような位置で検出されないと、カウンタは減少する。所定のレベル（例えば、最大値）が達成されるとビット同期とみなされる。積分器４８は、ＡＤＩＰデータ期間にわたって直交信号を積分し、且つ、積分の半分及び、符号を反転するために、ビット検出器４９により制御される。これにより、データビット０に対しては最大積分器出力となり、、データビット１に対しては最大積分器反転出力となる。ワード同期のために、ＡＤＩＰワード同期は、ＡＤＩＰビット同期信号の後の３反転ウーブル及び、好ましくは”空”領域もを検出することにより検出される。実施例では、積分器は、ＡＤＩＰビット同期信号で積分を開始するように制御され、４ウーブル後に、積分値画ＡＤＩＰワード同期を示す場合には、反転された符号で、空領域を積分する。”空”領域を有するＡＤＩＰワード同期がバイ−フェーズ変調領域を構成するので、ワード同期信号の強い検出が可能となる。代わりに、第２の積分器がワード同期信号を検出するのに使用されてもよい。
【００１９】
ＰＬＬはウーブルの公称位相にロックしなければならないので、変調されたビットはＰＬＬの位相に寄与せず又は乱さないとみなされる。上述の（位相がゼロ又は、１８０°を使用する）バイ−フェーズ変調のＰＬＬでは、ゼロクロスは（反転されているが）同じ位置なので反転ウーブルの外乱は小さいので、そのような外乱は無視される。ＰＬＬのディジタル実施例では、ウーブルのゼロクロス周辺の信号を処理することにより制限されうる。検出器の実施例では、ＰＬＬは、ＰＬＬに向けられた判定を構成するために、ビット検出器４９により、制御信号４０を介して制御される。制御信号４０は、乗算器４３に接続されても良く（図示）、又は、ループフィルタ４４の前の制御可能なスイッチ又はインバータに接続されてもよい。制御信号は、ＰＬＬの位相後さ信号の発生するための構成的な方法に貢献するための正しい符号を有するために、変調されたウーブルの信号をスキップすること、又は、変調されたウーブルを実際に反転することを示す。例えば、ビット検出器が実際に変調ウーブルを検出し且つ制御信号４０を発生するためにある時間を与えるために、数ウーブル期間の遅延要素は、ＰＬＬループの前に含まれてもい。
【００２０】
図５と６は、記録担体１を走査する本発明に従った装置を示す。光ディスク上の情報の書きこみ及び、読み出し及び、フォーマット、誤り訂正及び、チャンネル符号化規則は例えば、ＣＤシステムのような従来技術より既知である。図５の装置は、記録担体を読み出すようになされており、記録担体は図１に示す記録担体と同じである。装置には、記録担体のトラックを走査する読出しヘッド５２と、記録担体１を回転させる駆動部５５を含む制御手段と、例えば、チャネルでコーダと誤り訂正器を含む読出し回路５３と、トラッッキング部５１及び、システム制御部５６が設けられている。読出しヘッドは、光学部品を通して案内される放射ビーム６５を介して記録担体の記録層のトラック状に焦点が合わされた放射スポット６６を発生するための、通常の形式の光部品を含む。放射ビーム６５は、例えば、レーザダイオードのような放射源から発生される。読出しヘッドは、記録層上に放射ビーム６５の焦点を合わせるフォーカスアクチュエータと、半径方向に、トラックの中心上にスポット６６の位置を調整するトラッキングアクチュエータ５９を更に有する。装置は、半径方向にトラック上に読出しヘッド５２の位置を粗く調整するための位置決め部５４を有する。トラッキングアクチュエータ５９は、光学部品を半径方向に移動するコイルを有し、又は、読出しヘッドの可動部上の又は、光学系の一部が固定位置に取りつけられている場合には固定位置の一部上の反射部品の角度を変化させてもよい。記録層により反射された放射は、読出し信号、トラッッキングエラー信号、フォーカスエラー信号を含む検出信号５７を発生するために、例えば、四分円ダイオードのような通常の形式の検出器により検出される。トラッッキング部５１は、読出しヘッドからのトラッッキングエラー信号を受信し且つトラックアクチュエータ５９を制御するために読出しヘッドに接続される。読出し中は、読出し信号は、矢印６４で示すように、読出し回路５３中で、出力情報に変換される。装置には、記録担体のサーボトラックが走査されるときに検出信号５７からアドレス情報を検出し取り出すためのアドレス検出器５０が設けられている。装置には、更に、制御コンピュータシステム又は、ユーザから命令を受信し、駆動装置５５、位置決め部５４、アドレス検出器５０、トラッッキング部５１及び、読出し回路５３に接続された、例えば、システムバスの制御線５８を介して装置を制御するシステム制御部５６が設けられている。このために、システム制御部は、例えば、以下の手続を実行するマイクロプロセッサ、プログラムメモリ、制御ゲート、のような制御回路を有する。システム制御部５６は、論理回路のステートマシンとして実行もされる。読出し装置は例えば、連続するウーブルのような周期的変化を有するトラックを有するディスクを読むようになされる。読出し制御部は、周期的変動を検出し、且つそれに従って、トラックから所定の量のデータを読むために設けられる。実施例では、読出しクロックは周期的変化に同期し、読出し回路５３は各周期的変化当り固定数のチャネルビットを読み出す。実施例では、読出し制御手段は未記録領域に続くトラックの領域からのデータを取り出すようになされる。読出し回路５３では、読出しクロックは未記録領域の周期的変化に同期し、読出し速度は未記録領域を走査中に調整される。これゆえ、記録領域の先頭で、読出し回路５３は、記録されたデータの速度にロックされる。特にアドレス検出器５０は、バイ−フェーズ変調されたサーボ信号から例えば、位置情報及び、記録制御データのような記録担体情報を読み出すために配置される。アドレス検出器の好適な実施例は、図４を参照して上述されているが、しかしバイ−フェーズ変調されたサーボ信号の他の復調器も使用され得る。アドレス検出器はさらに、図３を参照して説明された、記録担体情報のワードを取り出すワード検出部を有する。そのようなワードの先頭は、上述の図２に示した、非変調ウーブルの長いシーケンスの後に、所定の数の反転ウーブルから検出される。データビットの発生は３つの非変調ウーブルが続く１つの反転ウーブルを基に検出される。
【００２１】
図６は本発明に従った、例えば、光磁気又は、（相変化又は、色素を介して）光学的に、電磁放射のビーム６５により記録担体上に情報を書きこむ装置を示す。装置は、読出しも供えており、そして、書きこみ／読出しヘッド６２と読出し要素と及び、例えばフォーマッタ、誤り符号化器及び、チャネル符号化器を有する記録回路を除いて同じ要素を有する書きこみ制御手段をのぞいて、図５を用いて上述した読出し装置と同じ要素を有する。書きこみ／読出しヘッド６２は、書きこみ機能と共に読出しヘッド５２と同じ機能を有しそして、書きこみ回路６０に接続されている。書きこみ回路６０の入力に与えられる情報（矢印６３）は、フォーマット及び、符号化規則に従って、論理及び、物理セクタ上に分散され、そして、書きこみ／読出しヘッド６２のための書きこみ信号６１に変換される。システム制御部５６は、書きこみ回路６０を制御し、そして、読出し装置について上述した位置情報回復と位置決め手続を行うするために配置される。書きこみ動作中は、情報を表すマークは、記録担体上に形成される。記録制御手段は、例えば、周期的変化にの周期に位相ロックループを同期させることにより、周期的変化を検出するために配置される。例えば、ウーブル当り３２チャネルビットのような周期的特徴の各々に対応して、所定の、固定数のチャネルビットが記録される。これゆえ、ブロックの記録中は、情報を表すマークの記録は、対応するウーブルに同期する。書きこみ装置の実施例では、位置決め装置は、所定の数のチャネルビットに丁度対応するウーブルの長さに基づいて記録されるべきブロックの位置を決めるために配置され、そして、ＡＤＩＰワードと例えば図３で説明したＤＶＤフォーマットに従った情報ブロックの位置の間の関係に基づいて、前記位置を計算するために配置された計算部を有する。
【００２２】
実施例では、読出し及び／又は書きこみ装置は、例えば、アドレス検出器中に、走査中にウーブルのようなトラックの周期的変化にロックする位相ロックループを有する。新たな走査位置へのヘッド５２，６２のジャンプ後に、位相ロックループは、新たな位置でのデータクロック値に設定されうる。又は、前記位相ロックループの帯域幅は、新たなウーブル周波数に素早くロックするために上昇し得る。
【００２３】
本発明に従ったウーブル変調を使用した実施例について説明したが、例えば、トラック幅のような、トラックの他の好適なパラメータも変調されうる。また、光記録担体に関しては、光ディスクについて説明したが、しかし、磁気ディスク又はテープのような他の媒体も使用できる。更に本発明は、上述の各々の、又は、その組合せの特徴を有する。
【図１ａ】
2011040163.tif 000003
【図１ｂ】
2011040163.tif 000004
【図１ｃ】
2011040163.tif 000005
【図１ｄ】
2011040163.tif 000006
【図２】
2011040163.tif 000007
【図３】
2011040163.tif 000008
【図４】
2011040163.tif 000009
【図５】
2011040163.tif 000010
【図６】
2011040163.tif 000011